(57)【要約】【課題】  要求されるデータ電極の個数を削減して製造原価は低減したプラズマディスプレイパネルを提供する。【解決手段】  プラズマディスプレイパネルは、複数の第１の表示ユニット及び第２の表示ユニットを含み、第１及び第２の表示ユニットは、複数の維持電極、走査電極、及びデータ電極から構成され、隣接して交互に配設される。維持電極及び走査電極は、少なくとも２つの隣接した第１及び第２の電極コンビネーションを形成し、各電極コンビネーションは、１つの維持電極及び走査電極を含む。データ電極は、維持電極及び走査電極に略直交する方向に沿って配置される。第１の表示ユニットは、第１の原色に対応し第１のデータ電極及び第１の電極コンビネーションによって制御され、第２の表示ユニットは、第２の原色に対応し第１のデータ電極及び第２の電極コンビネーションによって制御される。【選択図】  図４
2004179162.tif 000002
【特許請求の範囲】
【請求項１】
互いに隣接した少なくとも第１の電極コンビネーション及び第２の電極コンビネーションを形成する複数の維持電極及び複数の走査電極と、
上記維持電極及び上記走査電極に略直交する方向に沿って配置されたデータ電極と、
第１の原色に対応し、上記データ電極及び上記第１の電極コンビネーションによって制御される第１の表示ユニットと、
第２の原色に対応し、上記データ電極及び上記第２の電極コンビネーションによって制御される第２の表示ユニットとを備え、
上記第１の電極コンビネーション及び上記第２の電極コンビネーションは、それぞれ、１つの維持電極と１つの走査電極とを含み、
上記第１の表示ユニット及び上記第２の表示ユニットは、隣接して交互に配設されていること
を特徴とするプラズマディスプレイパネル。
【請求項２】
上記第１の電極コンビネーションは、第１の維持電極及び第１の走査電極を含み、
上記第２の電極コンビネーションは、第２の維持電極及び上記第１の走査電極を含むこと
を特徴とする請求項１記載のプラズマディスプレイパネル。
【請求項３】
上記第１の電極コンビネーションは、第１の維持電極及び第１の走査電極を含み、
上記第２の電極コンビネーションは、第２の維持電極及び第２の走査電極を含むこと
を特徴とする請求項１記載のプラズマディスプレイパネル。
【請求項４】
上記データ電極は、線状とされ、上記維持電極及び上記走査電極に直交とされていること
を特徴とする請求項１記載のプラズマディスプレイパネル。
【請求項５】
上記データ電極は、屈曲状とされていること
を特徴とする請求項１記載のプラズマディスプレイパネル。
【請求項６】
上記データ電極は、連続的に連結された少なくとも第１の線分、第２の線分、及び第３の線分を有し、
上記第１の線分及び上記第２の線分の連結点は、上記第１の表示ユニットに配置され、
上記第２の線分及び上記第３の線分の連結点は、上記第２の表示ユニットに配置されていること
を特徴とする請求項５記載のプラズマディスプレイパネル。
【請求項７】
上記データ電極は、波状とされていること
を特徴とする請求項５記載のプラズマディスプレイパネル。
【請求項８】
上記データ電極は、連続的に連結された少なくとも第１の線分、第２の線分、第３の線分、第４の線分、及び第５の線分を有し、
上記第１の線分及び上記第２の線分の連結点、並びに上記第２の線分及び上記第３の線分の連結点は、上記第１の表示ユニットに配置され、
上記第３の線分及び上記第４の線分の連結点、並びに上記第４の線分及び上記第５の線分の連結点は、上記第２の表示ユニットに配置されていること
を特徴とする請求項５記載のプラズマディスプレイパネル。
【請求項９】
上記第１の表示ユニット及び上記第２の表示ユニットは、隔壁によって分離されていること
を特徴とする請求項１記載のプラズマディスプレイパネル。
【請求項１０】
上記隔壁は、ハチの巣状とされていること
を特徴とする請求項９記載のプラズマディスプレイパネル。
【請求項１１】
上記隔壁は、交互にグリッド状とされていること
を特徴とする請求項９記載のプラズマディスプレイパネル。
【請求項１２】
上記データ電極は、第１の突起及び第２の突起を有し、
上記第１の突起は、上記第１の表示ユニットに対応する位置に配置され、
上記第２の突起は、上記第２の表示ユニットに対応する位置に配置されていること
を特徴とする請求項１記載のプラズマディスプレイパネル。
【請求項１３】
上記第１の突起及び上記第２の突起は、矩形状、輪状、又は半環状とされていること
を特徴とする請求項１２記載のプラズマディスプレイパネル。
【請求項１４】
三角形状配置とされ、隣接して交互に配設された第１の原色に対応する第１の表示ユニット及び第２の単原色に対応する第２の表示ユニットを有する複数の表示ユニットを備えたプラズマディスプレイパネルであって、
第１の維持電極及び第２の維持電極と、
上記第１の維持電極と上記第２の維持電極との間に配置され、上記第１の維持電極及び上記第２の維持電極とそれぞれ平行とされた走査電極と、
上記維持電極に略直交する方向に沿って配置されたデータ電極とを備え、
上記第１の表示ユニットは、上記第１の維持電極、上記走査電極、及び上記データ電極によって制御され、
上記第２の表示ユニットは、上記第２の維持電極、上記走査電極、及び上記データ電極によって制御されること
を特徴とするプラズマディスプレイパネル。
【請求項１５】
上記データ電極は、線状とされ、上記維持電極及び上記走査電極に略直交とされていること
を特徴とする請求項１４記載のプラズマディスプレイパネル。
【請求項１６】
上記データ電極は、屈曲状とされていること
を特徴とする請求項１４記載のプラズマディスプレイパネル。
【請求項１７】
上記データ電極は、連続的に連結された少なくとも第１の線分、第２の線分、及び第３の線分を有し、
上記第１の線分及び上記第２の線分の連結点は、上記第１の表示ユニットに配置され、
上記第２の線分及び上記第３の線分の連結点は、上記第２の表示ユニットに配置されていること
を特徴とする請求項１６記載のプラズマディスプレイパネル。
【請求項１８】
データ電極は、波状とされていること
を特徴とする請求項１６記載のプラズマディスプレイパネル。
【請求項１９】
上記データ電極は、連続的に連結された少なくとも第１の線分、第２の線分、第３の線分、第４の線分、及び第５の線分を有し、
上記第１の線分及び上記第２の線分の連結点、並びに上記第２の線分及び上記第３の線分の連結点は、上記第１の表示ユニットに配置され、
上記第３の線分及び上記第４の線分の連結点、並びに上記第４の線分及び上記第５の線分の連結点は、上記第２の表示ユニットに配置されていること
を特徴とする請求項１６記載のプラズマディスプレイパネル。
【請求項２０】
上記データ電極は、第１の突起及び第２の突起を有し、
上記第１の突起は、上記第１の表示ユニットに対応する位置に配置され、
上記第２の突起は、上記第２の表示ユニットに対応する位置に配置されていること
を特徴とする請求項１４記載のプラズマディスプレイパネル。
【請求項２１】
上記第１の突起及び上記第２の突起は、矩形状、輪状、又は半環状とされていること
を特徴とする請求項２０記載のプラズマディスプレイパネル。
【発明の詳細な説明】
【技術分野】
【０００１】
本発明は、一般にプラズマディスプレイパネルに関し、特に、共通のデータ電極を備えたプラズマディスプレイパネルに関する。
【背景技術】
【０００２】
近年、プラズマディスプレイパネル（ＰＤＰ）は、その大画面化、広視野角、高解像度、及びフルカラーのイメージ表示等の特徴により、その表示特性が陰極線管（ＣＲＴ）の表示特性よりも遙かに良好であるとして、相当な注目を浴びている。
【０００３】
従来のプラズマディスプレイパネルの３次元図を図１に示す。プラズマディスプレイパネルは、複数の交互に配設された維持電極Ｘ及び走査電極Ｙを備えた前面基板１０２と後面基板１０８とを含み、維持電極Ｘ及び走査電極Ｙは、前面基板１０２上に配置され、複数の透明電極（図示していない）が、上述した維持電極Ｘ及び走査電極Ｙの形成前に形成され得るとともに定義され得る。そのパターンがそれらの設計によって決定される透明電極については、詳述していない。上述した維持電極Ｘ及び走査電極Ｙは、誘電体層１０４によってカバーされ、誘電体層１０４は、酸化マグネシウムから構成される保護層１０６によってカバーされ、保護層１０６は、維持電極Ｘ、走査電極Ｙ、及び誘電体層１０４を保護するために用いられる。さらに、複数のデータ電極Ａが、後面基板１０８上に配置されて誘電体層１１６によってカバーされる。データ電極Ａは、維持電極Ｘ及び走査電極Ｙに直交とされている。複数の隔壁１１２は、２つの隣接した隔壁１１２毎の間をカバーする複数の蛍光体層１１０とともに、データ電極Ａの方向に沿って後面基板１０８上に配置されている。
【０００４】
前面基板１０２と後面基板１０８との間隙は、ネオンとキセノンの混合物である放電ガスで満たされた放電スペースである。表示ユニットは、維持電極Ｘ及び走査電極Ｙによって定義され、これら維持電極Ｘ及び走査電極Ｙは、両方とも、それらが対応する後面基板１０８上に配置されたデータ電極Ａとともに前面基板１０２上に配置されている。したがって、マトリクス状に配設された複数の表示ユニットは、維持電極Ｘ、走査電極Ｙ、及びデータ電極Ａにより、プラズマディスプレイパネルとして定義することができる。放電中のガスを励起することにより、励起したガスは、紫外線を放射する。蛍光体層１１０は、特定の波長の紫外線を吸収した後に可視光線を放射する。
【０００５】
水平配置のいくつかの表示ユニットと図１に示すプラズマディスプレイパネルにおける各電極との関係について、図２に示す。異なる色の表示ユニットは、隣接した隔壁間に異なる色に対応する蛍光体層を形成することによって得ることができる。図２に示すように、データ電極Ａ１，Ａ２，Ａ３は、赤の表示ユニットＲ１，Ｒ２、緑の表示ユニットＧ１，Ｇ２、青の表示ユニットＢ１，Ｂ２をそれぞれ制御するために用いられる。これらの表示ユニットの駆動方法は、以下のステップを含む。まず、消去期間に、全ての表示ユニット用の表示データを消去する。つぎに、アドレッシング期間に、連続的に走査電極Ｙ１，Ｙ２を走査し、データ電極Ａ１乃至Ａ３をイネーブルとすることにより、点灯する表示ユニットを選択する。その後、放電維持期間に、選択された表示ユニットは、維持電極Ｘ１と走査電極Ｙ１との間、及び維持電極Ｘ２と走査電極Ｙ２との間に交流電圧を供給することにより、継続的に点灯するようになる。
【０００６】
図２に示すような水平配置の表示ユニットに加え、表示ユニットは、三角形状配置とすることもできる。三角形状配置とされるいくつかの表示ユニットと各電極との従来の関係について、図３に示す。三角形状配置とされる表示ユニットは、ハチの巣状の隔壁３０２によって実現される。隣接して交互に配設された表示ユニットとして、例えば緑の表示ユニットＧ２と赤の表示ユニットＲ３とをとりあげる。緑の表示ユニットＧ２は、データ電極Ａ２及び走査電極Ｙ１によって制御される一方で、赤の表示ユニットＲ３は、データ電極Ａ１及び走査電極Ｙ１によって制御される。走査電極Ｙ１が走査される場合、緑の表示ユニットＧ２及び赤の表示ユニットＲ３は、それぞれ、データ電極Ａ１，Ａ２によって選択することができる。
【発明の開示】
【発明が解決しようとする課題】
【０００７】
ところで、隣接して交互に配設された表示ユニットは、慣例的に、異なるデータ電極によって制御されなければならないことから、複数のデータ電極が、表示ユニットを制御するために要求される。複数のデータ電極が要求されることから、従来のプラズマディスプレイパネルは、そのコストが増加するという問題があった。また、製造プロセスは、隣接したデータ電極間のスペースが狭くなることに起因して、より複雑になるという問題もあった。
【０００８】
本発明は、このような実情に鑑みてなされたものであり、共通のデータ電極を用いて、２つの隣接して交互に配設された表示ユニットを制御するプラズマディスプレイパネルを提供することを目的とする。要求されるデータ電極の個数の削減により、製造原価はさらに低減することができる。
【課題を解決するための手段】
【０００９】
本発明の目的は、複数の維持電極、走査電極、データ電極、第１の表示ユニット、及び第２の表示ユニットを含むプラズマディスプレイパネルを提供することである。維持電極及び走査電極は、少なくとも２つの隣接した第１の電極コンビネーションと第２の電極コンビネーションとを形成する。各電極コンビネーションは、維持電極及び走査電極を含む。データ電極は、維持電極及び走査電極に略直交する方向に沿って配置される。第１の表示ユニットは、第１の原色に対応し、第１のデータ電極及び第１の電極コンビネーションによって制御され、第２の表示ユニットは、第２の原色に対応し、第１のデータ電極及び第２の電極コンビネーションによって制御される。第１の表示ユニット及び第２の表示ユニットは、隣接して交互に配設される。
【発明の効果】
【００１０】
本発明にかかるプラズマディスプレイパネルは、要求されるデータ電極の個数を削減し、且つ製造原価をさらに低減することができる。
【発明を実施するための最良の形態】
【００１１】
以下、本発明を適用した具体的な実施の形態について図面を参照しながら詳細に説明する。本発明の他の目的、特徴、及び利点は、好ましいものの限定されることはない具体例についての以下の詳細な記述から明らかとなるであろう。以下記述は、添付した図面に関連してなされる。
【００１２】
本発明の精神は、要求されるデータ電極の個数を削減し、且つさらに製造原価を低減させるべく、２つの隣接して交互に配設された表示ユニットを制御するためにデータ電極を用いることにある。
【００１３】
第１の実施の形態
三角形状配置とされるいくつかの表示ユニットと、本発明の第１の実施の形態として示す各電極との相互関係について、図４に示す。本発明にしたがうプラズマディスプレイパネルは、複数の維持電極Ｘ、複数の走査電極Ｙ、複数のデータ電極Ａ、及び複数の表示ユニットを含む。例えば、維持電極Ｘ１乃至Ｘ２、走査電極Ｙ１、データ電極Ａ１乃至Ａ２、赤の表示ユニットＲ１乃至Ｒ３、緑の表示ユニットＧ１乃至Ｇ３、及び青の表示ユニットＢ１乃至Ｂ３をとりあげる。維持電極Ｘ１及び走査電極Ｙ１は、第１の電極コンビネーション（Ｘ１＋Ｙ１）を形成する一方で、維持電極Ｘ２及び走査電極Ｙ１は、第２の電極コンビネーション（Ｘ２＋Ｙ１）を形成する。データ電極Ａ１乃至Ａ２は、維持電極Ｘ１乃至Ｘ２と走査電極Ｙ１とに略直交する方向に沿って配置されている。各表示ユニットは、隔壁によって分離され、隔壁は、ハチの巣状に形成されて配設されている表示ユニットを備えたハチの巣状の隔壁４０２であり得る。
【００１４】
例えば、緑の表示ユニットＧ２は、データ電極Ａ１及び第１の電極コンビネーション（Ｘ１＋Ｙ１）によって制御される一方で、赤の表示ユニットＲ２は、データ電極Ａ２及び第１の電極コンビネーション（Ｘ１＋Ｙ１）によって制御される。赤の表示ユニットＲ３は、データ電極Ａ１及び第２の電極コンビネーション（Ｘ２＋Ｙ１）によって制御される一方で、青の表示ユニットＢ３は、データ電極Ａ２及び第２の電極コンビネーション（Ｘ２＋Ｙ１）によって制御される。隣接した列方向に並べられた表示ユニットと交互に列方向に並べられた表示ユニット、すなわち、２つの隣接した列方向に配設されるが同じデータ電極に対応する表示ユニットは、同じ直線には並べられない。より正確にいえば、これらの表示ユニットは、水平方向に沿った相対的な変位を有している。例えば、データ電極Ａ１に対応する表示ユニットである緑の表示ユニットＧ２及び赤の表示ユニットＲ３は、水平方向に沿って既存の相対的な変位を備えた隣接して交互に配設された表示ユニットである。図４において、緑の表示ユニットＧ２は、赤の表示ユニットＲ３と青の表示ユニットＢ３との間に配置されている。
【００１５】
２つの隣接して交互に配設された表示ユニットを通過する位置にデータ電極を配置することにより、本発明は、要求されるデータ電極の個数を削減すべく、２つの隣接して交互に配設された表示ユニットを制御するために、単に１つのデータ電極を用いる。図４に示す第１の実施の形態においては、データ電極は、線状とされ、これら維持電極及び走査電極に直交とされる。
【００１６】
２つの隣接して交互に配設された表示ユニットが同じデータ電極及び走査電極によって制御されていることから、表示ユニットは、２つの駆動処理の期間に、個々に点灯する必要がある。本発明のプラズマディスプレイパネルの駆動方法は、一例として、緑の表示ユニットＧ２及び赤の表示ユニットＲ３を用いた場合について、以下に示される。まず、消去期間に、全ての表示ユニット用の表示データを消去する。つぎに、最初のアドレッシングの期間に、連続的に走査電極Ｙを走査し、データ電極Ａをイネーブルとすることにより、点灯する表示ユニットを選択する。例えば、走査電極Ｙ１がイネーブルとなる場合、データ電極Ａ１をイネーブルとすることにより、緑の表示ユニットＧ２及び赤の表示ユニットＲ３を同時に選択する。その後、第１の放電維持期間に、２つの選択された表示ユニットのうちの１つを継続的に点灯する。例えば、第１の電極コンビネーション（Ｘ１＋Ｙ１）に交流電圧を供給することにより、選択された緑の表示ユニットＧ２のみが継続的に点灯される。同様に、第２のアドレッシング期間内に、連続的に走査電極Ｙを走査し、データ電極Ａをイネーブルとすることにより、点灯する表示ユニットを選択する。例えば、走査電極Ｙ１がイネーブルとなる場合、データ電極Ａ１をイネーブルとすることにより、再度、緑の表示ユニットＧ２及び赤の表示ユニットＲ３を同時に選択する。その後、第２の放電維持期間に、２つの選択された表示ユニットのうちの１つを継続的に点灯する。例えば第２の電極コンビネーション（Ｘ２＋Ｙ１）に交流電圧を供給することにより、選択された赤の表示ユニットＲ３のみが継続的に点灯される。したがって、２つの隣接して交互に配設された表示ユニットは、それぞれ、点灯され得る。
【００１７】
目の色識別は、色発光の蓄積期間に依存する。緑の表示ユニットＧ２と赤の表示ユニットＲ３は、異なる時点で点灯されるものの、この駆動方法は、視覚的な蓄積効果に起因して、従来のプラズマディスプレイパネルの表示性能と同じ表示性能をなお実現する。
【００１８】
本発明において、データ電極は、図４に示すような線状に限定されない。屈曲状のデータ電極も有効である。屈曲状のデータ電極についての様々なパターンが、図５乃至図７に開示される。
【００１９】
第２の実施の形態
三角形状配置とされるいくつかの表示ユニットと、本発明の第２の実施の形態として示す各電極との関係について、図５に示す。第２の実施の形態においては、データ電極が、例えば、第１の方向に沿った線分５０２及び第２の方向に沿った線分５０４のように、２つの異なる方向に沿って配置された線分から構成される。ここで、線分５０２，５０４，５０６は、連続的に連結されている。線分５０２，５０４の連結点は、緑の表示ユニットＧ２に配置されている一方で、線分５０４，５０６の連結点は、赤の表示ユニットＲ３に配置されている。
【００２０】
第３の実施の形態
三角形状配置とされるいくつかの表示ユニットと、本発明の第３の実施の形態として示す各電極との関係について、図６に示す。第３の実施の形態においては、データ電極が、例えば、第１の方向に沿った線分６０２，６１０、第２の方向に沿った線分６０４，６０８、及び第３の方向に沿った線分６０６のように、３つの異なる方向に沿って配置された線分から構成される。ここで、線分６０２，６０４，６０６，６０８，６１０は、連続的に連結されている。線分６０２，６０４の連結点は、線分６０４，６０６の連結点と同様に、緑の表示ユニットＧ２に配置されている一方で、線分６０６，６０８の連結点は、線分６０８，６１０の連結点と同様に、赤の表示ユニットＲ３に配置されている。
【００２１】
第４の実施の形態
三角形状配置とされるいくつかの表示ユニットと、本発明の第４の実施の形態として示す各電極との関係について、図７に示す。第４の実施の形態においては、データ電極が、緑の表示ユニットＧ２及び赤の表示ユニットＲ３にそれぞれ配置された波峰部７０４及び波谷部７０６を備えた波状とされている。
【００２２】
第２乃至第４の実施の形態において用いられる駆動方法は、第１の実施の形態において用いられる駆動方法と同じであることから、その説明は反復しないものとする。
【００２３】
第５の実施の形態
三角形状配置とされるいくつかの表示ユニットと、本発明の第５の実施の形態として示す各電極との関係について、図８に示す。本発明にしたがうプラズマディスプレイパネルにおいて用いられる隔壁は、図４に示すようなハチの巣状の隔壁に限定されない。例えば多角形状又は環状に近い他のタイプの隔壁はまた、２つの隣接した列方向に表示ユニットを交互に配設することにより、本発明の目的を実現する。図８に示すように、本発明にしたがう隔壁はまた、交互にグリッド状とされる隔壁８０２であり得る。この具体例においては、各表示ユニットは、矩形状に近く、２つの隣接した列方向に表示ユニットが交互に配設されているものとされる。
【００２４】
第６の実施の形態
三角形状配置とされるいくつかの表示ユニットと、本発明の第６の実施の形態として示す各電極との関係について、図９に示す。図４に示す第１の実施の形態においては、走査電極Ｙ１が、緑の表示ユニットＧ２及び赤の表示ユニットＲ３によって共有されていた。本発明の精神によれば、異なる列の表示ユニットは、異なる走査電極によって制御することができる。図９に示すように、緑の表示ユニットＧ２及び赤の表示ユニットＲ３は、それぞれ、走査電極Ｙ１，Ｙ２によって制御することができる。維持電極Ｘ１及び走査電極Ｙ１は、第１の電極コンビネーション（Ｘ１＋Ｙ１）を形成する一方で、維持電極Ｘ２及び走査電極Ｙ２は、第２の電極コンビネーション（Ｘ２＋Ｙ２）を形成する。この具体例における駆動方法は、以下に示される。まず、連続的に走査電極Ｙ１，Ｙ２を走査する。つぎに、データ電極Ａ２をイネーブルとすることにより、走査電極Ｙ１，Ｙ２がそれぞれイネーブルとなった場合に、緑の表示ユニットＧ２及び赤の表示ユニットＲ３を選択する。最後に、第１の電極コンビネーション（Ｘ１＋Ｙ１）及び第２の電極コンビネーション（Ｘ２＋Ｙ２）にそれぞれ交流電圧を供給する。したがって、選択された表示ユニット、すなわち、緑の表示ユニットＧ２及び赤の表示ユニットＲ３は、継続的に点灯することができる。
【００２５】
第７の実施の形態
三角形状配置とされるいくつかの表示ユニットと、本発明の第６の実施の形態として示す各電極との関係について、図１０(Ａ)乃至図１０(Ｃ)に示す。線状の設計とは別に、本発明にしたがう第７の実施の形態として示すデータ電極は、対応する表示ユニットに配置された複数の突起を有するものとして設計することができる。例えば、データ電極Ａ１をとりあげる。データ電極Ａ１は、例えば矩形状の突起１００２Ｇ，１００２Ｒのように、複数の矩形状の突起を有する。ここで、突起１００２Ｇ，１００２Ｒは、それぞれ、緑の表示ユニットＧ２の中央及び赤の表示ユニットＲ３の中央まで延在している。したがって、データ電極は、表示ユニットに対して、より良好な駆動能力を有することができる。
【００２６】
矩形状とは別に、突起は、例えば図１０(Ｂ)及び図１０(Ｃ)に示すような輪状及び半環状といった様々なタイプに設計することができる。図１０(Ｂ)においては、輪状の突起１００４Ｇ，１００４Ｒがそれぞれ緑の表示ユニットＧ２の中央及び赤の表示ユニットＲ３の中央まで延在し、図１０(Ｃ)においては、半環状の突起１００６Ｇ，１００６Ｒがそれぞれ緑の表示ユニットＧ２の中央及び赤の表示ユニットＲ３の中央まで延在しているものとされる。
【００２７】
本発明にしたがう上述した具体例において開示されたプラズマディスプレイパネルは、２つの隣接して交互に配設された表示ユニットの制御のために、共通のデータ電極を用い、要求されるデータ電極の個数を削減し、且つこれにともない製造原価を低減するものである。
【００２８】
本発明が、一例を介して、また好ましい具体例として記述されていた一方で、本発明は、これに限定されるものではないことは理解されるべきである。これに対して、様々な変形例並びに同様の配置及び処理を包含するように意図されるべきである。したがって、添付した特許請求の範囲は、そのような変形例並びに同様の配置及び処理を全て包含するために、最も広い解釈として与えられるべきである。
【図面の簡単な説明】
【００２９】
【図１】従来のプラズマディスプレイパネルの３次元図である。
【図２】水平配置のいくつかの表示ユニットと図１に示すプラズマディスプレイパネルにおける各電極との関係を示す図である。
【図３】三角形状配置とされるいくつかの表示ユニットと各電極との従来の関係について示す図である。
【図４】三角形状配置とされる複数の表示ユニットと、本発明の第１の実施の形態として示す各電極との相互関係について示す図である。
【図５】三角形状配置とされるいくつかの表示ユニットと、本発明の第２の実施の形態として示す各電極との関係を示す図である。
【図６】三角形状配置とされるいくつかの表示ユニットと、本発明の第３の実施の形態として示す各電極との関係を示す図である。
【図７】三角形状配置とされるいくつかの表示ユニットと、本発明の第４の実施の形態として示す各電極との関係を示す図である。
【図８】三角形状配置とされるいくつかの表示ユニットと、本発明の第５の実施の形態として示す各電極との関係を示す図である。
【図９】三角形状配置とされるいくつかの表示ユニットと、本発明の第６の実施の形態として示す各電極との関係を示す図である。
【図１０（Ａ）】三角形状配置とされるいくつかの表示ユニットと、本発明の第７の実施の形態として示す各電極との関係を示す図であって、複数の矩形状の突起を有する様子を説明するための図である。
【図１０（Ｂ）】三角形状配置とされるいくつかの表示ユニットと、本発明の第７の実施の形態として示す各電極との関係を示す図であって、複数の輪状の突起を有する様子を説明するための図である。
【図１０（Ｃ）】三角形状配置とされるいくつかの表示ユニットと、本発明の第７の実施の形態として示す各電極との関係を示す図であって、複数の半環状の突起を有する様子を説明するための図である。
【符号の説明】
【００３０】
４０２，８０２  隔壁
５０２，５０４，５０６，６０２，６０４，６０６，６０８，６１０  線分
７０４  波峰部
７０６  波谷部
１００２Ｇ，１００２Ｒ，１００４Ｇ，１００４Ｒ，１００６Ｇ，１００６Ｒ  突起
Ａ，Ａ１，Ａ２  データ電極
Ｂ１，Ｂ２，Ｂ３  青の表示ユニット
Ｇ１，Ｇ２，Ｇ３  緑の表示ユニット
Ｒ１，Ｒ２，Ｒ３  赤の表示ユニット
Ｘ，Ｘ１，Ｘ２  維持電極
Ｙ，Ｙ１  走査電極
（Ｘ１＋Ｙ１）  第１の電極コンビネーション
（Ｘ２＋Ｙ１），（Ｘ２＋Ｙ２）  第２の電極コンビネーション
【図１】
2004179162.tif 000003
【図２】
2004179162.tif 000004
【図３】
2004179162.tif 000005
【図４】
2004179162.tif 000006
【図５】
2004179162.tif 000007
【図６】
2004179162.tif 000008
【図７】
2004179162.tif 000009
【図８】
2004179162.tif 000010
【図９】
2004179162.tif 000011
【図１０（Ａ）】
2004179162.tif 000012
【図１０（Ｂ）】
2004179162.tif 000013
【図１０（Ｃ）】
2004179162.tif 000014